Podtech/llm-jp-corpus-v4-ja_patent huggingface dataset:
【手続補正書】
【提出日】平成23年7月11日(2011.7.11)
【手続補正１】
【補正対象書類名】特許請求の範囲
【補正対象項目名】全文
【補正方法】変更
【補正の内容】
【特許請求の範囲】
【請求項１】
特定の色の素地をもった記録媒体に無彩色中間調の画像を印刷する画像処理装置であって、
無彩色中間調の画像を表現する画像データを入力する入力手段と、
前記記録媒体の特定の色を加味した色相空間と、該色相空間において表現される白と黒を表す点を画面上に表示する表示手段と、
前記表示手段によって表示された白と黒とを表す点のうち、少なくともいずれかの位置を変更する変更手段と、
前記変更手段によって変更された白と黒のうち少なくともいずれかの点を前記色相空間で表す値に基づいて、前記色相空間における前記無彩色中間調を表現する値を求める算出手段と、
前記算出手段によって求められた無彩色中間調を表現する値に基づいて、前記記録媒体に無彩色中間調の画像を印刷する印刷手段と
を備えることを特徴とする画像処理装置。
【請求項２】
前記無彩色中間調の各階調と前記変更手段によって変更可能な領域とが関連付けられた第１のルックアップテーブルを更に備え、
前記表示手段は、前記第１のルックアップテーブルを参照することによって前記変更可能な領域を更に表示することを特徴とする請求項１に記載の画像処理装置。
【請求項３】
前記変更可能な領域は、前記色相空間における各色相の座標によって表されることを特徴とする請求項２に記載の画像処理装置。
【請求項４】
前記変更手段は、マンマシンインタフェースを備え、前記変更可能な領域において、白と黒とを表す点のうち、少なくともいずれかの位置を変更することを特徴とする請求項２又は３に記載の画像処理装置。
【請求項５】
前記算出手段は、前記白と黒とを表す点の間を線形または非線形に補間することによって、前記無彩色中間調を表現する値を求め、前記無彩色中間調の各階調と前記無彩色中間調を表現する値とが関連付けられた第２のルックアップテーブルを生成することを特徴とする請求項２乃至４のいずれか１項に記載の画像処理装置。
【請求項６】
前記第１のルックアップテーブルと前記第２のルックアップテーブルとを用いて、前記無彩色中間調の各階調と濃度信号とが関連付けられた第３のルックアップテーブルを生成する生成手段を更に備え、
前記印刷手段は、前記第３のルックアップテーブルを用いて、前記記録媒体に無彩色中間調の画像を印刷することを特徴とする請求項５に記載の画像処理装置。
【請求項７】
特定の色の素地をもった記録媒体に無彩色中間調の画像を印刷する画像処理装置において実行される画像処理方法であって、
前記画像処理装置の入力手段が、無彩色中間調の画像を表現する画像データを入力する入力工程と、
前記画像処理装置の表示手段が、前記記録媒体の特定の色を加味した色相空間と、該色相空間において表現される白と黒を表す点を画面上に表示する表示工程と、
前記画像処理装置の変更手段が、前記表示工程において表示された白と黒とを表す点のうち、少なくともいずれかの位置を変更する変更工程と、
前記画像処理装置の算出手段が、前記変更工程において変更された白と黒のうち少なくともいずれかの点を前記色相空間で表す値に基づいて、前記色相空間における前記無彩色中間調を表現する値を求める算出工程と、
前記画像処理装置の印刷手段が、前記算出工程において求められた無彩色中間調を表現する値に基づいて、前記記録媒体に無彩色中間調の画像を印刷する印刷工程と
を備えることを特徴とする画像処理方法。
【請求項８】
特定の色の素地をもった記録媒体に無彩色中間調の画像を印刷するための画像処理プログラムであって、
無彩色中間調の画像を表現する画像データを入力する入力手段と、
前記記録媒体の特定の色を加味した色相空間と、該色相空間において表現される白と黒を表す点を画面上に表示する表示手段と、
前記表示手段によって表示された白と黒とを表す点のうち、少なくともいずれかの位置を変更する変更手段と、
前記変更手段によって変更された白と黒のうち少なくともいずれかの点を前記色相空間で表す値に基づいて、前記色相空間における前記無彩色中間調を表現する値を求める算出手段と、
前記算出手段によって求められた無彩色中間調を表現する値に基づいて、前記記録媒体に無彩色中間調の画像を印刷する印刷手段と
してコンピュータを機能させることを特徴とする画像処理プログラム。
【手続補正書】
【提出日】平成23年6月22日(2011.6.22)
【手続補正１】
【補正対象書類名】特許請求の範囲
【補正対象項目名】全文
【補正方法】変更
【補正の内容】
【特許請求の範囲】
【請求項１】
メディアの物性値、および、画像形成に使用するプロファイルを関連付けて記憶する記憶手段と、
メディアの物性値を入力する入力手段と、
前記入力手段により入力した物性値と前記記憶手段が記憶するメディアの物性値の類似度を算出する算出手段と、
前記算出の結果に従い、前記物性値が入力されたメディアに対応するプロファイルを前記記憶手段から取得する取得手段と、
前記取得したプロファイルを、前記物性値が入力されたメディアのプロファイルとして出力する出力手段とを有することを特徴とする色処理装置。
【請求項２】
前記記憶手段は、さらに、前記メディアの物性値、および、前記プロファイルに関連付けてメディア情報を記憶し、前記取得手段は、前記算出手段の算出の結果に従い、前記メディア情報を検索する検索手段を有し、前記検索手段により検索されたメディア情報に対応するプロファイルを前記記憶手段から取得することを特徴とする請求項1に記載された色処理装置。
【請求項３】
前記取得手段は、前記算出手段が算出した類似度が高いプロファイルを取得することを特徴とする請求項1または請求項2に記載された色処理装置。
【請求項４】
さらに、前記物性値が入力されたメディアの色再現性の評価値を入力する手段と、
前記評価値に基づき、前記出力手段が出力する前のプロファイルの色再現に関するデータを最適化する手段とを有することを特徴とする請求項1から請求項3の何れか一項に記載された色処理装置。
【請求項５】
前記物性値は、前記メディアの色再現に関する情報であることを特徴とする請求項1から請求項4の何れか一項に記載された色処理装置。
【請求項６】
前記プロファイルは、色処理用のプロファイルであることを特徴とする請求項1から請求項5の何れか一項に記載された色処理装置。
【請求項７】
前記物性値は、前記メディアの光沢特性に関する情報を含むことを特徴とする請求項1から請求項6の何れか一項に記載された色処理装置。
【請求項８】
前記プロファイルは、色分解処理用のプロファイルであることを特徴とする請求項1から請求項7の何れか一項に記載された色処理装置。
【請求項９】
前記物性値は、前記メディアに対する画像形成装置のメカ制御に関する情報であることを特徴とする請求項1から請求項4の何れか一項に記載された色処理装置。
【請求項１０】
前記プロファイルは、前記メカ制御用のプロファイルであることを特徴とする請求項9に記載された色処理装置。
【請求項１１】
メディアの物性値、および、画像形成に使用するプロファイルを関連付けて記憶する記憶手段を有する色処理装置の制御方法であって、
メディアの物性値を入力し、
前記入力した物性値と前記記憶手段に記憶されたメディアの物性値の類似度を算出し、
前記算出の結果に従い、前記物性値が入力されたメディアに対応するプロファイルを前記記憶手段から取得し、
前記取得したプロファイルを、前記物性値が入力されたメディアのプロファイルとして出力することを特徴とする制御方法。
【請求項１２】
コンピュータを請求項1から請求項10の何れか一項に記載された色処理装置の各手段として機能させることを特徴とするプログラム。
【手続補正２】
【補正対象書類名】明細書
【補正対象項目名】００１１
【補正方法】変更
【補正の内容】
【００１１】
本発明は、メディアの物性値、および、画像形成に使用するプロファイルを関連付けて記憶する記憶手段を有する色処理装置において、メディアの物性値を入力し、前記入力した物性値と前記記憶手段に記憶されたメディアの物性値の類似度を算出し、前記算出の結果に従い、前記物性値が入力されたメディアに対応するプロファイルを前記記憶手段から取得し、前記取得したプロファイルを、前記物性値が入力されたメディアのプロファイルとして出力することを特徴とする。
【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
被写体像を光電変換して画像データを生成する撮像手段と、
被写体を照明する照明手段と、
撮影開始を指示する撮影指示手段と、
前記撮影指示手段によって撮影開始が指示された場合に、前記照明手段および前記撮像手段の動作を制御して前記画像データを取得する際に、前記照明手段が照明動作を行った状態で前記撮像手段が撮像動作を行う照明撮影動作を制御する撮影制御手段と、
前記撮影制御手段の制御によって得られた画像データに含まれる目の輝点位置を特定する輝点特定手段と、
前記撮影して得た画像データに含まれる目の輝点位置を基に、所定の合成用画像データを合成処理する画像合成手段と、
を備えることを特徴とする撮像装置。
【請求項２】
前記撮影制御手段は、前記照明手段が照明動作を行わない状態で前記撮像手段が撮像動作を行う非照明撮影動作をさらに制御し、
前記輝点特定手段は、前記撮影制御手段の制御によって前記照明撮影動作の結果得られた画像データを構成する画素の輝度値と前記非照明撮影動作の結果得られた画像データを構成する画素の輝度値との差分をもとに前記目の輝点位置を特定し、
前記画像合成手段は、前記非照明撮影動作の結果得られた画像データにおける前記目の輝点位置に前記所定の合成用画像データを合成処理することを特徴とする請求項１に記載の撮像装置。
【請求項３】
前記撮影制御手段の制御によって得られた画像データから顔領域を検出し、該顔領域の検出結果をもとに目領域を検出する目検出手段を備え、
前記輝点特定手段は、前記目領域の位置と前記画像データを構成する画素の輝度値とをもとに、前記目の輝点位置を特定することを特徴とする請求項１に記載の撮像装置。
【請求項４】
前記照明撮影動作の結果得られた画像データおよび前記非照明撮影動作の結果得られた画像データから顔領域を検出し、該顔領域の検出結果をもとに目領域を検出する目検出手段を備え、
前記輝点特定手段は、前記目検出手段による検出結果をもとに前記各画像データの目領域を構成する画素の輝度値の差分を算出し、前記目の輝点位置を特定することを特徴とする請求項２に記載の撮像装置。
【請求項５】
前記撮像手段によって生成された画像データを記憶する画像記憶手段をさらに備え、
前記合成用画像データとして、前記画像記憶手段に記憶された画像データを用いることを特徴とする請求項１に記載の撮像装置。
【請求項６】
被写体像を光電変換して画像データを生成する撮像手段と照明光を発光する照明手段とを備えた撮像装置における画像合成方法であって、
撮影開始を指示する撮影指示ステップと、
前記撮影指示ステップで撮影開始が指示された場合に、前記照明手段および前記撮像手段の動作を制御し、前記照明手段が照明動作を行った状態で前記撮像手段が撮像動作を行う照明撮影動作を制御する撮影制御ステップと、
前記撮影制御ステップでの制御によって得られた画像データに含まれる目の輝点位置を特定する輝点特定ステップと、
前記目の輝点位置に所定の合成用画像データを合成処理する画像合成ステップと、
を含むことを特徴とする撮像装置における画像合成方法。
【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
ベイヤ配列の撮影データのG成分を補間処理してG成分画像を生成する補間手段と、
前記G成分画像にレンズの色収差補正を施す補正手段と、
前記色収差補正を施したG成分画像を参照して、前記撮影データをデモザイキング処理するデモザイキング手段とを有することを特徴とする画像処理装置。
【請求項２】
前記デモザイキング手段は、前記色収差補正を施したG成分画像から検出したエッジの方向に基づき、前記撮影データのG成分を補間処理してG成分画像を生成することを特徴とする請求項1に記載された画像処理装置。
【請求項３】
前記デモザイキング手段は、ビットマップ方向判定によって前記エッジの方向を検出することを特徴とする請求項2に記載された画像処理装置。
【請求項４】
前記デモザイキング手段は、前記レンズの色収差が所定の値以下のG成分の画素について、前記補正手段が補正したG成分画像のデータを、前記デモザイキング処理の後のG成分画像のデータにすることを特徴とする請求項1から請求項3の何れか一項に記載された画像処理装置。
【請求項５】
前記デモザイキング手段は、前記デモザイキング処理の後のG成分画像に基づき、前記撮影データのR成分およびB成分を補間処理してR成分画像およびB成分画像を生成することを特徴とする請求項2から請求項4の何れか一項に記載された画像処理装置。
【請求項６】
前記補間手段は、前記撮影データのG成分からベイヤ方向判定によって検出したエッジの方向に基づき、前記補間処理を行うことを特徴とする請求項1から請求項5の何れか一項に記載された画像処理装置。
【請求項７】
補間手段、補正手段、デモザイキング手段を有する画像処理装置の画像処理方法であって、
前記補間手段が、ベイヤ配列の撮影データのG成分を補間処理してG成分画像を生成し、
前記補正手段が、前記G成分画像にレンズの色収差補正を施し、
前記デモザイキング手段が、前記色収差補正を施したG成分画像を参照して、前記撮影データをデモザイキング処理することを特徴とする画像処理方法。
【請求項８】
コンピュータ装置を請求項1から請求項6に記載された画像処理装置の各手段として機能させることを特徴とするプログラム。
【手続補正２】
【補正対象書類名】明細書
【補正対象項目名】００３１
【補正方法】変更
【補正の内容】
【００３１】
図9は色収差の補正を説明する図で、一例として縦480×横640画素の画面を示している。図9に示す画面の1/4の縦240×横320画素の領域CDEFを考えると、この領域は画面に対して相似であり、対角線CEは400画素分の長さになる。本来は一点に結像すべきR、G、B成分は、色収差により、図9に示すように分離して結像する。つまり、R成分はE点に結像し、B、G成分は中心（C点）寄りに結像する。
【手続補正３】
【補正対象書類名】明細書
【補正対象項目名】００３３
【補正方法】変更
【補正の内容】
【００３３】
なお、G成分補間部406の倍率色補正部605は、補間処理部604が出力するG成分に倍率色収差補正を施し、G成分データ609を生成する。
【手続補正書】
【提出日】平成23年7月7日(2011.7.7)
【手続補正１】
【補正対象書類名】特許請求の範囲
【補正対象項目名】全文
【補正方法】変更
【補正の内容】
【特許請求の範囲】
【請求項１】
半導体基板の主表面上に反射防止膜を形成する工程と、
前記反射防止膜上に、パターン端部において前記パターンの端部が２°以上５°以下の傾斜角度で前記半導体基板側に向かって広がるような傾斜を有するレジストパターンを形成する工程と、
前記レジストパターンをマスクとして前記半導体基板の前記主表面にイオンを注入する工程とを備えた、半導体装置の製造方法。
【請求項２】
半導体基板の主表面上にレジストパターンを形成する工程と、
前記レジストパターンの周囲にシリコンおよびゲルマニウムの少なくともいずれかを含む有機材料層を形成する工程と、
前記レジストパターンおよび前記有機材料層をマスクとして前記半導体基板の前記主表面にイオンを注入する工程とを備えた、半導体装置の製造方法。
【請求項３】
前記有機材料層を形成する工程は、
シリコンおよびゲルマニウムの少なくともいずれかを含み、かつ前記レジストパターン中の酸成分を触媒として熱架橋反応を起こして硬化する有機材料を、前記レジストパターンを覆うように形成する工程と、
加熱処理を施して前記レジストパターンに接する部分の前記有機材料を熱硬化させることにより、前記レジストパターンの周囲に前記有機材料層を形成する工程とを含む、請求項２に記載の半導体装置の製造方法。
【請求項４】
半導体基板の主表面上に、シリコン、ゲルマニウムおよび色素よりなる群から選ばれる１種以上を含むレジストパターンを形成する工程と、
前記レジストパターンをマスクとして前記半導体基板の前記主表面にイオンを注入する工程とを備えた、半導体装置の製造方法。
【請求項５】
半導体基板の主表面上に、マイナスに帯電させたレジストパターンを形成する工程と、
前記レジストパターンをマスクとして前記半導体基板の前記主表面にイオンを注入する工程とを備えた、半導体装置の製造方法。
【請求項６】
マイナスに帯電させた前記レジストパターンを形成する工程は、前記レジストパターンにエレクトロンを照射する工程を含む、請求項５に記載の半導体装置の製造方法。
【請求項７】
前記イオンは、前記半導体基板の前記主表面にウェルを形成するために前記主表面に注入される、請求項１〜６のいずれかに記載の半導体装置の製造方法。
【手続補正２】
【補正対象書類名】明細書
【補正対象項目名】００５６
【補正方法】変更
【補正の内容】
【００５６】
これらのモンテカルロシミュレーションの結果によると、傾斜角度θがわずか２°〜３°であってもパターン端部が傾斜していると、２次イオンの影響（すなわちウェル近接効果）は軽減されている。また、傾斜角度θが大きすぎると（θ＝１０°）、レジストパターンを突き抜けてシリコン基板ＳＵＢの主表面に注入されるイオンを無視することができない。そこで、本実施の形態における傾斜角度θの好ましい範囲は２°〜５°に設定される。
【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
原版を照明光学系によって照明して投影光学系を介して基板を露光する露光装置において使用される露光条件を決定する露光条件決定方法であって、
前記露光条件の仮の値を設定するステップと、
前記投影光学系の像面における光強度分布について光の強弱を評価するための簡易評価条件、および、前記像面に形成される像の線幅を評価するための線幅評価条件を設定するステップと、
該設定された前記露光条件の仮の値を用いて前記投影光学系の像面における光強度分布を計算し、該計算された光強度分布を前記簡易評価条件で評価して簡易評価値を計算する第１評価ステップと、
前記簡易評価値が許容値を満たす場合に、前記像面に形成される像の線幅を計算し、該計算された線幅を前記線幅評価条件で評価して線幅に関する評価値を計算する第２評価ステップと、
前記第２評価ステップで計算された前記線幅に関する評価値が許容値を満たす場合に前記露光条件の値を決定するステップとを有し、
前記第１評価ステップで計算された前記簡易評価値が許容値を満たさない場合に、前記第２評価ステップを行うことなく該設定された露光条件の仮の値を変更して前記第１評価ステップを繰り返す
ことを特徴とする露光条件決定方法。
【請求項２】
前記簡易評価値は、前記投影光学系の像面における光強度分布のＮＩＬＳ値、ＩＬＳ値およびコントラスト値のいずれかである、
ことを特徴とする請求項１に記載の露光条件決定方法。
【請求項３】
前記簡易評価値が許容値を満たす場合に、前記第２評価ステップにおいて、前記像面からずれた位置に形成される像の線幅を更に計算し、前記像面に形成される像および前記像面からずれた位置に形成される像を前記線幅評価条件で評価して線幅に関する評価値を計算することを特徴とする請求項１に記載の露光条件決定方法。
【請求項４】
前記露光条件は、照明条件を含む、
ことを特徴とする請求項１乃至３のいずれか１項に記載の露光条件決定方法。
【請求項５】
前記露光条件は、有効光源分布を含む、
ことを特徴とする請求項１乃至３のいずれか１項に記載の露光条件決定方法。
【請求項６】
原版を照明光学系によって照明して投影光学系を介して基板を露光する露光装置において使用される露光条件を決定する露光条件決定方法をコンピュータに実行させるためのコンピュータプログラムであって、前記露光条件決定方法は、
前記露光条件の仮の値を設定するステップと、
前記投影光学系の像面における光強度分布について光の強弱を評価するための簡易評価条件、および、前記像面に形成される像の線幅を評価するための線幅評価条件を設定するステップと、
該設定された前記露光条件の仮の値を用いて前記投影光学系の像面における光強度分布を計算し、該計算された光強度分布を前記簡易評価条件で評価して簡易評価値を計算する第１評価ステップと、
前記簡易評価値が許容値を満たす場合に、前記像面に形成される像の線幅を計算し、該計算された線幅を前記線幅評価条件で評価して線幅に関する評価値を計算する第２評価ステップと、
前記第２評価ステップで計算された前記線幅に関する評価値が許容値を満たす場合に前記露光条件の値を決定するステップとを有し、
前記第１評価ステップで計算された前記簡易評価値が許容値を満たさない場合に、前記第２評価ステップを行うことなく該設定された露光条件の仮の値を変更して前記第１評価ステップを繰り返す
ことを特徴とするコンピュータプログラム。
【手続補正２】
【補正対象書類名】明細書
【補正対象項目名】０００９
【補正方法】変更
【補正の内容】
【０００９】
本発明の第１の側面は、原版を照明光学系によって照明して投影光学系を介して基板を露光する露光装置において使用される露光条件を決定する露光条件決定方法に係り、前記露光条件決定方法は、前記露光条件の仮の値を設定するステップと、前記投影光学系の像面における光強度分布について光の強弱を評価するための簡易評価条件、および、前記像面に形成される像の線幅を評価するための線幅評価条件を設定するステップと、該設定された前記露光条件の仮の値を用いて前記投影光学系の像面における光強度分布を計算し、該計算された光強度分布を前記簡易評価条件で評価して簡易評価値を計算する第１評価ステップと、前記簡易評価値が許容値を満たす場合に、前記像面に形成される像の線幅を計算し、該計算された線幅を前記線幅評価条件で評価して線幅に関する評価値を計算する第２評価ステップと、前記第２評価ステップで計算された前記線幅に関する評価値が許容値を満たす場合に前記露光条件の値を決定するステップとを有し、前記第１評価ステップで計算された前記簡易評価値が許容値を満たさない場合に、前記第２評価ステップを行うことなく該設定された露光条件の仮の値を変更して前記第１評価ステップを繰り返すことを特徴とする。
【手続補正３】
【補正対象書類名】明細書
【補正対象項目名】００１０
【補正方法】変更
【補正の内容】
【００１０】
本発明の第２の側面は、原版を照明光学系によって照明して投影光学系を介して基板を露光する露光装置において使用される露光条件を決定する露光条件決定方法をコンピュータに実行させるためのコンピュータプログラムに係り、前記露光条件決定方法は、前記露光条件の仮の値を設定するステップと、前記投影光学系の像面における光強度分布について光の強弱を評価するための簡易評価条件、および、前記像面に形成される像の線幅を評価するための線幅評価条件を設定するステップと、該設定された前記露光条件の仮の値を用いて前記投影光学系の像面における光強度分布を計算し、該計算された光強度分布を前記簡易評価条件で評価して簡易評価値を計算する第１評価ステップと、前記簡易評価値が許容値を満たす場合に、前記像面に形成される像の線幅を計算し、該計算された線幅を前記線幅評価条件で評価して線幅に関する評価値を計算する第２評価ステップと、前記第２評価ステップで計算された前記線幅に関する評価値が許容値を満たす場合に前記露光条件の値を決定するステップとを有し、前記第１評価ステップで計算された前記簡易評価値が許容値を満たさない場合に、前記第２評価ステップを行うことなく該設定された露光条件の仮の値を変更して前記第１評価ステップを繰り返すことを特徴とする。
【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
アルバム中の特定の範囲内に配置する画像間に類似性があるか否かを判定する判定手段と、
前記判定手段で類似性があると判定された画像の双方又は片方を、前記画像間の類似性に応じて、加工する加工手段と、
を有することを特徴とする画像処理装置。
【請求項２】
前記判定手段は、入力された画像の順序で隣り合う画像を、類似性の判定を行なう判定対象とすることを特徴とする請求項１に記載の画像処理装置。
【請求項３】
前記判定手段は、画像が配置されたときに、特定の配置場所にある画像を、類似性の判定を行なう判定対象とすることを特徴とする請求項１に記載の画像処理装置。
【請求項４】
前記判定手段は、判定対象とする画像に含まれる被写体を検出して認識し、判定対象とする画像間で、類似した位置に、類似した大きさの、同一の被写体を認識した場合、類似性があると判定することを特徴とする請求項１に記載の画像処理装置。
【請求項５】
前記判定手段は、判定対象とする画像に含まれる被写体が人物の場合、前記人物の顔を検出し、認識することを特徴とする請求項４に記載の画像処理装置。
【請求項６】
前記判定手段は、特定の被写体を前記同一の被写体の対象から除外することを特徴とする請求項４に記載の画像処理装置。
【請求項７】
前記判定手段は、判定対象とする画像同士が類似した色調を持っている場合、画像間に類似性があると判定することを特徴とする請求項１に記載の画像処理装置。
【請求項８】
前記加工手段は、判定対象とする画像間で、類似した位置に、類似した大きさの、前記同一の被写体が含まれないように画像を加工することを特徴とする請求項４に記載の画像処理装置。
【請求項９】
前記加工手段は、画像の色調を変更することによって画像を加工することを特徴とする請求項７に記載の画像処理装置。
【請求項１０】
前記加工手段は、画像が動画の一部である場合、表示される動画のフレームを時間的にずらすことを特徴とする請求項４に記載の画像処理装置。
【請求項１１】
画像処理装置が行う画像処理方法であって、
アルバム中の特定の範囲内に配置する画像間に類似性があるか否かを判定する判定ステップと、
前記判定ステップで類似性があると判定された画像の双方又は片方を、前記画像間の類似性に応じて、加工する加工ステップと、
を含むことを特徴とする画像処理方法。
【請求項１２】
コンピュータを、
アルバム中の特定の範囲内に配置する画像間に類似性があるか否かを判定する判定手段と、
前記判定手段で類似性があると判定された画像の双方又は片方を、前記画像間の類似性に応じて、加工する加工手段と、
して機能させることを特徴とするプログラムを記憶したコンピュータが読み取り可能な記憶媒体。
【請求項１３】
コンピュータを、
アルバム中の特定の範囲内に配置する画像間に類似性があるか否かを判定する判定手段と、
前記判定手段で類似性があると判定された画像の双方又は片方を、前記画像間の類似性に応じて、加工する加工手段と、
して機能させることを特徴とするプログラム。
【手続補正２】
【補正対象書類名】明細書
【補正対象項目名】０００６
【補正方法】変更
【補正の内容】
【０００６】
本発明はこのような問題点に鑑みなされたもので、アルバムを作成する際に、見た目の単調さを軽減することを目的とする。
【手続補正３】
【補正対象書類名】明細書
【補正対象項目名】０００７
【補正方法】変更
【補正の内容】
【０００７】
そこで、本発明の画像処理装置は、アルバム中の特定の範囲内に配置する画像間に類似性があるか否かを判定する判定手段と、前記判定手段で類似性があると判定された画像の双方又は片方を、前記画像間の類似性に応じて、加工する加工手段と、を有することを特徴とする。
【手続補正４】
【補正対象書類名】明細書
【補正対象項目名】０００８
【補正方法】変更
【補正の内容】
【０００８】
また、本発明は、画像処理装置が行う画像処理方法であって、アルバム中の特定の範囲内に配置する画像間に類似性があるか否かを判定する判定ステップと、前記判定ステップで類似性があると判定された画像の双方又は片方を、前記画像間の類似性に応じて、加工する加工ステップと、を含むことを特徴とする。
【手続補正５】
【補正対象書類名】明細書
【補正対象項目名】０００９
【補正方法】変更
【補正の内容】
【０００９】
また、本発明は、プログラム及び記憶媒体としてもよい。
【手続補正６】
【補正対象書類名】明細書
【補正対象項目名】００１０
【補正方法】変更
【補正の内容】
【００１０】
本発明によれば、アルバムを作成する際に、見た目の単調さを軽減することができる。
【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
複数の画素が配された撮像領域と、前記撮像領域の周辺に位置する周辺領域とを有する撮像装置であって、
前記撮像領域には、前記複数の画素の上方にカラーフィルタ層が配され、
前記周辺領域には、前記複数の画素から信号を読み出す読み出し部と、出力端子から出力されるべき信号を生成する出力部と、前記読み出し部からの信号を前記出力部へ伝達する複数の出力線と、が配されており、
前記カラーフィルタ層は、前記撮像領域から前記周辺領域に延在しているとともに、前記複数の出力線の上に開口を有し、前記開口の内側の誘電率は前記カラーフィルタ層の誘電率より低いことを特徴とする撮像装置。
【請求項２】
前記周辺領域には、パッシベーション層が配されており、前記パッシベーション層における或る部分が前記カラーフィルタ層の下に位置するとともに、前記パッシベーション層における別の部分が前記開口の下に位置して前記複数の出力線を覆っていることを特徴とする請求項１に記載の撮像装置。
【請求項３】
前記カラーフィルタ層の前記開口は、前記パッシベーション層の前記別の部分を露出させていることを特徴とする請求項２に記載の撮像装置。
【請求項４】
前記パッシベーション層は、前記周辺領域から前記撮像領域に延在して、前記カラーフィルタ層と前記複数の画素との間に配されていることを特徴とする請求項２又は３に記載の撮像装置。
【請求項５】
前記撮像領域および前記周辺領域には、前記カラーフィルタ層の上に平坦化層が配されており、
前記平坦化層は、前記カラーフィルタ層の前記開口に整合した開口を有し、
前記カラーフィルタ層の前記開口の側面と前記平坦化層の前記開口の側面が連続していることを特徴とする請求項１から４のいずれか１項に記載の撮像装置。
【請求項６】
前記複数の出力線は、前記読み出し部から出力された第１の信号を伝達する第１の出力線と、前記読み出し部から出力された第２の信号を伝達する第２の出力線との組を複数含み、前記出力部は、前記第１の信号と前記第２の信号との差分信号をそれぞれ生成する複数の差分回路を含むことを特徴とする請求項１から５のいずれか１項に記載の撮像装置。
【請求項７】
前記読み出し部は、前記画素から読み出した信号を保持する保持容量と、前記保持容量と前記出力線との接続を開閉するスイッチと、を含み、前記周辺領域において、前記カラーフィルタ層は少なくとも前記読み出し部の上方に配されていることを特徴とする請求項１から６のいずれか１項に記載の撮像装置。
【請求項８】
前記カラーフィルタ層の前記開口は気体により満たされていることを特徴とする請求項１から７のいずれか１項に記載の撮像装置。
【請求項９】
請求項１から８のいずれか１項に記載の撮像装置と、
前記撮像装置の撮像面へ像を形成する光学系と、
前記撮像装置から出力された信号を処理して画像データを生成する信号処理部と、
を備えたことを特徴とする撮像システム。
【請求項１０】
複数の画素が撮像領域に形成され、前記複数の画素から信号を読み出す読み出し部と、出力端子を経由して出力する信号を生成する出力部と、前記読み出し部からの信号を前記出力部へ伝達する複数の出力線と、が前記撮像領域の周辺に位置する周辺領域に形成された半導体基板の前記撮像領域および前記周辺領域に、第１の樹脂層を形成する工程と、
前記撮像領域および前記周辺領域において、前記第１の樹脂層の上に第２の樹脂層を形成する工程と、
前記第１の樹脂層及び前記第２の樹脂層における前記複数の出力線の上に位置する部分を除去する工程と、を含むことを特徴とする撮像装置の製造方法。
【手続補正２】
【補正対象書類名】明細書
【補正対象項目名】０００８
【補正方法】変更
【補正の内容】
【０００８】
本発明の第１の側面は、複数の画素が配された撮像領域と、前記撮像領域の周辺に位置する周辺領域とを有する撮像装置に係り、前記撮像領域には、前記複数の画素の上方にカラーフィルタ層が配され、前記周辺領域には、前記複数の画素から信号を読み出す読み出し部と、出力端子から出力されるべき信号を生成する出力部と、前記読み出し部からの信号を前記出力部へ伝達する複数の出力線と、が配されており、前記カラーフィルタ層は、前記撮像領域から前記周辺領域に延在しているとともに、前記複数の出力線の上に開口を有し、前記開口の内側の誘電率は前記カラーフィルタ層の誘電率より低いことを特徴とする。
【手続補正３】
【補正対象書類名】明細書
【補正対象項目名】００１０
【補正方法】変更
【補正の内容】
【００１０】
本発明の第３の側面は、撮像装置の製造方法に係り、複数の画素が撮像領域に形成され、前記複数の画素から信号を読み出す読み出し部と、出力端子を経由して出力する信号を生成する出力部と、前記読み出し部からの信号を前記出力部へ伝達する複数の出力線と、が前記撮像領域の周辺に位置する周辺領域に形成された半導体基板の前記撮像領域および前記周辺領域に、第１の樹脂層を形成する工程と、前記撮像領域および前記周辺領域において、前記第１の樹脂層の上に第２の樹脂層を形成する工程と、前記第１の樹脂層及び前記第２の樹脂層における前記複数の出力線の上に位置する部分を除去する工程と、を含むことを特徴とする。
【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
電極群を有するデバイス素子を収容したパッケージのベース部材に複数個の貫通電極を所定位置に配置したガラス基板を用い、前記電極群と前記貫通電極とを封止材を迂回して配置した接触媒体の介在により外部回路に引き出し、前記貫通電極がガラス対金属シール構造のファインビアであり、該ファインビアは外郭径の寸法φが１５０μｍ以下、ビアセンタ間ピッチの寸法が３００μｍ以下の微細構造であることを特徴とするパッケージングデバイス装置。
【請求項２】
前記デバイス素子がＣＣＤやＣＭＯＳのイメージセンサ、半導体やＭＥＭＳデバイスまたは液晶パネルであることを特徴とする請求項１に記載のパッケージングデバイス装置。
【請求項３】
前記接触媒体がパンプ電極、あるいはＷＢまたはＢＧＡであることを特徴とする請求項１に記載のパッケージングデバイス装置。
【請求項４】
前記ファインビアの気密度がヘリウム吹き付け法による気密性の測定値が１×１０−８Ｐａ・ｍ３／ｓｅｃ未満であることを特徴とする請求項１に記載のパッケージングデバイス装置。
【請求項５】
複数個の金属導体をガラス基板にガラス対金属シール構造により作製した複数個の貫通電極ビアを所定位置に配置したガラス基板であって、このガラス基板の貫通電極ビアは外郭径寸法φが１５０μｍ以下、およびセンタ間寸法が３００μｍ以内の間隔で埋設されたことを特徴とするパッケージング用ベース部材。
【請求項６】
前記ガラス基板における前記貫通電極ビアの気密度はヘリウム吹き付け法による気密性測定値が１×１０−８Ｐａ・ｍ３／ｓｅｃ未満であることを特徴とする請求項５に記載のパッケージング用ベース部材。
【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
その内部で被処理基板にプラズマ処理を行う処理容器と、
前記処理容器内に配置され、その上に前記被処理基板を保持する保持台と、
プラズマ励起用のマイクロ波を発生させるマイクロ波発生器と、
前記保持台と対向する位置に設けられ、マイクロ波を前記処理容器内に導入する誘電体板と、
前記保持台に保持された前記被処理基板の中央領域に向かってプラズマ処理用の反応ガスを供給する反応ガス供給部とを備えるプラズマ処理装置であって、
前記反応ガス供給部は、前記保持台と対向する前記誘電体板の壁面よりも前記誘電体板の内方側の後退した位置に配置されるインジェクターベースを含み、
前記インジェクターベースには、プラズマ処理用の反応ガスを前記処理容器内に供給する供給孔が設けられている、プラズマ処理装置。
【請求項２】
前記インジェクターベースのうち、前記供給孔は、前記保持台に対向する壁面に設けられている、請求項１に記載のプラズマ処理装置。
【請求項３】
前記保持台に対向する壁面は、平らである、請求項２に記載のプラズマ処理装置。
【請求項４】
前記インジェクターベースは、前記保持台と対向する前記誘電体板の壁面に達しない範囲で、前記保持台に対向する壁面から前記保持台側に延びる突出部を含む、請求項１に記載のプラズマ処理装置。
【請求項５】
前記突出部の先端部には、前記供給孔が設けられている、請求項４に記載のプラズマ処理装置。
【請求項６】
前記誘電体板は、円板状であり、
前記インジェクターベースには、前記供給孔が前記誘電体板の径方向中央に位置するように設けられている、請求項１〜５のいずれかに記載のプラズマ処理装置。
【請求項７】
その内部で被処理基板にプラズマ処理を行う処理容器と、
前記処理容器内に配置され、その上に前記被処理基板を保持する保持台と、
プラズマ励起用のマイクロ波を発生させるマイクロ波発生器と、
前記保持台と対向する位置に設けられ、マイクロ波を前記処理容器内に導入する誘電体板と、
前記保持台に保持された前記被処理基板の中央領域に向かってプラズマ処理用の反応ガスを供給する反応ガス供給部とを備えるプラズマ処理装置であって、
前記反応ガス供給部は、前記保持台と対向する前記誘電体板の壁面よりも前記誘電体板の内方側の後退した位置に配置されるインジェクターベースを含み、
前記インジェクターベースの材質は、アルマイト処理を施したアルミニウムまたはＹ２Ｏ３（イットリア）コートアルミニウムであり、
前記インジェクターベースは、前記誘電体板に設けられた前記インジェクターベースを収容するベース収容部に収容されており、
前記インジェクターベースと前記ベース収容部との間には、Ｏリングが介在しており、
前記インジェクターベースには、プラズマ処理用の反応ガスを前記処理容器内に供給する供給孔が設けられており、
前記供給孔は、前記保持台と対向する前記誘電体板の壁面である前記誘電体板の下面よりも上方側に設けられている、プラズマ処理装置。
【手続補正２】
【補正対象書類名】明細書
【補正対象項目名】００３７
【補正方法】変更
【補正の内容】
【００３７】
図４に示すように、インジェクターベース８１は、誘電体板１６の下面６３に達しない範囲で、保持台１４に対向する壁面８２から保持台１４側に延びる突出部８３を含む。具体的には、図４中に示す保持台１４の上面８４から誘電体板１６の下面６３までの距離Ｌ１よりも、保持台１４の上面８４から突出部８３の先端部８５までの距離Ｌ２の方が長く構成されている。また、突出部８３の先端部８５には、供給孔８６が設けられている。
【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
アンテナケースと、該アンテナケース内に収納されるアンテナ部とを備え、取り付けられた際に約７０ｍｍ以下の高さで突出するアンテナ装置であって、
前記アンテナ部は、
前記アンテナケースの下端に、前記アンテナケースの下面を閉塞するよう嵌着される導電性のアンテナベースと、
該アンテナベース上に立設されて配置され、アンテナパターンが上部に形成されているアンテナ基板と、
頂部と、該頂部の両側から斜面とされた側部が形成されて断面形状が山形に形成されており、前記アンテナ基板を跨ぐように配置されていると共に、前記頂部近傍が前記アンテナパターンに接続されて、前記アンテナパターンと共にアンテナエレメントを構成している導電性のトップ部と、
前記アンテナエレメントにより受信されたＡＭ放送とＦＭ放送の信号を増幅するアンプが設けられ、前記アンテナベース上に配置されているアンプ基板とを備え、
前記トップ部における前記側部の下縁と前記アンテナベースとの間隔が約１０ｍｍ以上とされており、前記アンテナ基板における前記アンテナパターンが、前記アンプ基板における前記アンプの入力に、前記アンテナエレメントのインダクタンス分を補うコイルを介して接続されていることを特徴とするアンテナ装置。
【請求項２】
アンテナケースと、該アンテナケース内に収納されるアンテナ部とを備え、取り付けられた際に約７０ｍｍ以下の高さで突出するアンテナ装置であって、
前記アンテナ部は、
前記アンテナケースの下端に、前記アンテナケースの下面を閉塞するよう嵌着される導電性のアンテナベースと、
該アンテナベース上に立設されて配置され、アンテナパターンが上部に形成されているアンテナ基板と、
頂部と、該頂部の両側から斜面とされた側部が形成されて断面形状が山形に形成されており、前記アンテナ基板を跨ぐように配置されていると共に、前記頂部近傍が前記アンテナパターンに接続されて、前記アンテナパターンと共にアンテナエレメントを構成している導電性のトップ部と、
前記アンテナエレメントにより受信されたＡＭ放送とＦＭ放送の信号を増幅するアンプが設けられ、前記アンテナベース上に配置されているアンプ基板とを備え、
前記トップ部における前記側部の下縁と前記アンテナベースとの間隔が約１０ｍｍ以上とされていると共に、前記トップ部の大きさが、前記アンテナエレメントのアンテナ容量が約３ｐＦ以上となる大きさとされており、前記アンテナ基板における前記アンテナパターンが、前記アンプ基板における前記アンプの入力に、前記アンテナエレメントのインダクタンス分を補うコイルを介して接続されていることを特徴とするアンテナ装置。
【請求項３】
前記アンテナパターンが形成されている前記アンテナ基板の上部を挟持するように取り付けられ、両側に拡がるよう形成されている接触片を有する接続金具を、前記アンテナ部はさらに備え、
前記アンテナケース内の上部に前記トップ部が内蔵されて取り付けられており、前記アンテナケースにより前記アンテナ部を覆うように前記アンテナベースに前記アンテナケースを取り付けた際に、前記接続金具の前記接触片が前記トップ部の前記側部の内側に接触することにより、前記トップ部と前記アンテナパターンとが電気的に接続されることを特徴とする請求項１または２記載のアンテナ装置。
【請求項４】
前記トップ部の後部が、前記アンテナベースの後端より後方に突出していることを特徴とする請求項１ないし３のいずれかに記載のアンテナ装置。
【手続補正書】
【提出日】平成23年5月31日(2011.5.31)
【手続補正１】
【補正対象書類名】特許請求の範囲
【補正対象項目名】全文
【補正方法】変更
【補正の内容】
【特許請求の範囲】
【請求項１】
被写体を撮像して画像信号を生成する撮像素子と、
前記被写体中の動体を検出する動体検出部と、
前記動体の位置および大きさを調整するフィルタ部と、
前記画像信号に対して、調整された前記動体の位置および大きさに対応する領域の明るさを補正する明るさ補正部と、
を備えたことを特徴とする撮像装置。
【請求項２】
前記フィルタ部は、前記動体を検出してからのフレーム数に応じて、前記動体の位置および大きさを調整する請求項１に記載の撮像装置。
【請求項３】
前記フィルタ部は、所定時間での前記動体の位置および大きさの変化量を調整し、補正動体情報として出力し、
前記明るさ補正部は、前記補正動体情報によって示される動体の位置および大きさに基づいて、前記領域の明るさのレベルを補正する請求項１または２に記載の撮像装置。
【請求項４】
前記フィルタ部は、連続する２つのフレームにおける動体の位置および大きさの間にある値を前記補正動体情報として求める請求項２または３に記載の撮像装置。
【請求項５】
前記フィルタ部は、連続する第１、第２のフレーム中の前記第１フレームの補正動体情報と前記第２フレームにおける動体の位置および大きさの間にある値を新たに前記補正動体情報として求める請求項２または３に記載の撮像装置。
【請求項６】
前記フィルタ部は、連続する２つのフレームにおける動体の位置および大きさに重み付けをした後に前記補正動体情報を求める請求項４または５に記載の撮像装置。
【請求項７】
前記明るさ補正部は、前記画像信号に対して、前記領域の周縁部の明るさを補正する請求項１ないし６のいずれかに記載の撮像装置。
【請求項８】
前記明るさ補正部は、前記領域を、前記動体を検出してからのフレーム数に応じた明るさのレベルに補正する請求項１ないし７のいずれかに記載の撮像装置。
【請求項９】
所定数のフレームに亘って連続して含まれる動体を追跡する動体追跡部を備え、
前記フィルタ部は、前記動体追跡部による追跡対象の動体の位置および大きさを調整する請求項１ないし８のいずれかに記載の撮像装置。
【請求項１０】
動体の動きに応じて画像信号を処理する方法であって、
動体を検出し、
前記動体を検出してからのフレーム数に応じて、前記動体の位置および大きさを調整し、 
調整された前記動体の位置および大きさに対応する前記画像信号の領域の明るさを補正する画像信号の処理方法。
【手続補正２】
【補正対象書類名】明細書
【補正対象項目名】０００８
【補正方法】変更
【補正の内容】
【０００８】
本発明に係る撮像装置は、被写体を撮像して画像信号を生成する撮像素子と、前記被写体中の動体を検出する動体検出部と、前記動体の位置および大きさを調整するフィルタ部と、前記画像信号に対して、調整された前記動体の位置および大きさに対応する領域の明るさを補正する明るさ補正部を備えた構成を有している。
【手続補正３】
【補正対象書類名】明細書
【補正対象項目名】００１０
【補正方法】変更
【補正の内容】
【００１０】
また、本発明に係る撮像装置において、前記フィルタ部は、前記動体を検出してからのフレーム数に応じて、前記動体の位置および大きさを調整する構成を有している。これにより、フレーム数に応じて調整された位置および大きさにより、明るさ補正部による補正処理が行われるので、動体を検出した直後に動体の明るさが急激に変化するのを抑制できる。
【手続補正４】
【補正対象書類名】明細書
【補正対象項目名】００１１
【補正方法】変更
【補正の内容】
【００１１】
また、本発明に係る撮像装置において、前記フィルタ部は、所定時間での前記動体の位置および大きさの変化量を調整し、補正動体情報として出力し、前記明るさ補正部は、前記補正動体情報によって示される動体の位置および大きさに基づいて、前記領域の明るさのレベルを補正する構成を有している。この構成により、調整された補正動体情報に基づいて明るさのレベルを補正するので、動体を明るくしつつ、画像がチラつく現象を抑制できる。
【手続補正５】
【補正対象書類名】明細書
【補正対象項目名】００１２
【補正方法】変更
【補正の内容】
【００１２】
また、本発明に係る撮像装置において、前記フィルタ部は、連続する２つのフレームにおける動体の位置および大きさの間にある値を前記補正動体情報として求める構成を有している。これにより、簡単な方法で、動体の位置および大きさがフレーム間で大きく変化することを抑えることができる。
【手続補正６】
【補正対象書類名】明細書
【補正対象項目名】００１３
【補正方法】変更
【補正の内容】
【００１３】
また、本発明に係る撮像装置において、前記フィルタ部は、連続する第１、第２のフレーム中の前記第１フレームの補正動体情報と前記第２のフレームにおける動体の位置および大きさの間にある値を新たに前記補正動体情報として求める構成を有している。これにより、簡単な方法で、動体の位置および大きさがフレーム間で大きく変化することを抑えることができる。
【手続補正７】
【補正対象書類名】明細書
【補正対象項目名】００１４
【補正方法】変更
【補正の内容】
【００１４】
また、本発明に係る撮像装置において、前記フィルタ部は、連続する２つのフレームにおける動体の位置および大きさに重み付けをした後に前記補正動体情報を求める構成を有している。これにより、フレーム間で調整の度合いを調整することができる。
【手続補正８】
【補正対象書類名】明細書
【補正対象項目名】００１５
【補正方法】変更
【補正の内容】
【００１５】
また、本発明に係る撮像装置において、前記明るさ補正部は、前記画像信号に対して、前記領域の周縁部の明るさを補正する構成を有している。このように領域の周縁部を明るくすることにより、動体の動きがより鮮明な画像を得ることができる。
【手続補正９】
【補正対象書類名】明細書
【補正対象項目名】００１６
【補正方法】変更
【補正の内容】
【００１６】
また、本発明に係る撮像装置において、前記明るさ補正部は、前記領域を、前記動体を検出してからのフレーム数に応じた明るさのレベルに補正する構成を有している。これにより、領域の明るさのレベルが徐々に変化するので、動体を検出した直後に動体の明るさが急激に変化するのを抑制できる。
【手続補正１０】
【補正対象書類名】明細書
【補正対象項目名】００１７
【補正方法】変更
【補正の内容】
【００１７】
また、本発明に係る撮像装置は、所定数のフレームに亘って連続して含まれる動体を追跡する動体追跡部を備え、前記フィルタ部は、前記動体追跡部による追跡対象の動体の位置および大きさを調整する構成を有している。この構成により、前後のフレームにて連続しない単発的な動体情報をノイズとして除去し、被写体中の動体を的確に追跡することができる。また、フィルタ部にて、動体追跡部による追跡対象の動体の位置および大きさを調整するので、追跡対象の動体の動きに注目した補正動体情報を得ることができる。
【手続補正１１】
【補正対象書類名】明細書
【補正対象項目名】００１８
【補正方法】削除
【補正の内容】